(57)【要約】【課題】比較的狭い場所でも容易に使用することができ、汚れが付きにくく、誤って落下したり、身体が触れたりしても、破損したり、苦痛を受けたりすることがなく、安全性に優れた浄水装置を提供する。【解決手段】浄水装置１０は、入水口１３ｖ及び出水口１３ｗを有する浄水器１３と、入水口１３ｖ及び出水口１３ｗを垂直下方に向かって露出させた状態で浄水器１３を着脱可能に収容するケーシング１１と、ケーシング１１を壁面に着脱可能に取り付けるため壁面に固定された保持部材１２と、を備えている。ケーシング１１の外観は略ラグビーボール形状をなし、その外面全体は滑らかな連続曲面で形成されている。また、ケーシング１１の外面には殺菌機能を有する銀イオンを含むコーティングが施されている。【選択図】図３
2008264613.tif 000002
【特許請求の範囲】
【請求項１】
入水口及び出水口を有する浄水器と、前記入水口及び前記出水口を露出させた状態で前記浄水器を着脱可能に収容するケーシングと、前記ケーシングを壁面に着脱可能に取り付けるため前記壁面に固定された保持部材と、を備え、前記ケーシングの外面を滑らかな連続曲面で形成したことを特徴とする浄水装置。
【請求項２】
前記浄水器が、粒状濾材が流動可能に充填された筒状の濾材容器と、前記濾材容器内に水を導入するため前記濾材容器の軸心方向の片方の端部に設けられた入水口と、前記濾材容器内に導入された水を排出するため前記濾材容器の軸心方向の他方の端部に設けられた出水口と、前記入水口から導入した水を前記濾材容器内において前記出水口に向かって螺旋流を描きながら流動させるため前記濾材容器の内周面に設けられた螺旋状の導水部と、を備えた請求項１記載の浄水装置。
【請求項３】
前記濾材容器の軸心方向の中心において当該軸心と直交する面を対称面として前記入水口と前記出水口とが鏡面対称をなすように配置した請求項２記載の浄水装置。
【請求項４】
前記入水口から導入された水を前記濾材容器の外周方向へ放射状に誘導する拡散手段を設け、前記入水口と前記拡散手段との間に前記拡散手段に向かって拡大した形状の拡散室を設けた請求項２又は３記載の浄水装置。
【請求項５】
前記拡散手段として、前記入水口から導入された水が当接する受水面と、前記受水面の周りに均等間隔に配置された複数の通水孔と、前記受水面から隣り合う前記通水孔の間を経由して前記濾材容器内周面に向かって放射状に形成された突条部と、を有する拡散部材を設けた請求項２〜４のいずれかに記載の浄水装置。
【請求項６】
前記ケーシングの少なくとも一部に殺菌機能を有するコーティングを施した請求項１〜５のいずれかに記載の浄水装置。
【発明の詳細な説明】
【技術分野】
【０００１】
本発明は、上水道施設から一般住宅等に供給される水道水を浄化する機能を備えた浄水装置に関する。
【背景技術】
【０００２】
近年、一般住宅等に供給されている水道水に含まれる塩素等の不純物の弊害を解消するため、浴室や洗面所などで使用可能な浄水装置が開発されている。従来の浄水装置としては、活性炭やセラミックスなどの濾材を濾材容器内に密着状態に充填して形成したものがある（例えば、特許文献１，２参照。）。このような浄水装置を浴室等の給湯水管路に配置すれば、水道水が浄水器を通過する際に塩素等の不純物が吸着、濾過され、清浄な水道水を得ることができる。
【０００３】
【特許文献１】特開２００４−１４３６６１号公報
【特許文献２】特開２００１−３１４３４０号公報
【発明の開示】
【発明が解決しようとする課題】
【０００４】
特許文献１記載の「浴室用浄水装置」は、浴室等に設けられた水栓に接続された連結ホースと、シャワーホースや給水ホースとを接続して使用するものであるが、使用中は浄水器を浴室の床面などに置く必要があるため、狭い場所では使いにくく、使用中に邪魔になることもある。
【０００５】
一方、特許文献２記載の「浄水シャワー装置」は、浴室の壁面等に浄水部を取り付けることができるため、特許文献１記載の「浴室用浄水装置」のように浴室の床面等に置く必要がなくなり、使用中に邪魔になることもない。しかしながら、浄水部が露出しているため、シャワー等の最中に降りかかった湯水あるいはシャンプーや石鹸の泡等が浄水部の外面に残留しやすく、長期間経過するうちに落ちにくい汚れとなったり、カビの原因となったりすることがある。
【０００６】
また、使用中に誤って浄水部が壁面から外れると、落下した浄水部が床面等に衝突して破損したり、使用者に当たって苦痛を与えたりする可能性がある。また、浄水器で浄化した湯を利用して浴槽への給湯を行っている場合、比較的高温の湯が長時間通過することによって熱くなった浄水部に使用者が触れると火傷するおそれもある。
【０００７】
本発明が解決しようとする課題は、比較的狭い場所でも容易に使用することができ、汚れが付きにくく、誤って落下したり、身体が触れたりしても、浄水器が破損したり、苦痛を受けたりすることのない、安全性に優れた浄水装置を提供することにある。
【課題を解決するための手段】
【０００８】
本発明の浄水装置は、入水口及び出水口を有する浄水器と、前記入水口及び前記出水口を露出させた状態で前記浄水器を着脱可能に収容するケーシングと、前記ケーシングを壁面に着脱可能に取り付けるため前記壁面に固定された保持部材と、を備え、前記ケーシングの外面を滑らかな連続曲面で形成したことを特徴とする。
【０００９】
このような構成とすれば、壁に固定した状態で浄水装置を使用することができるため、比較的狭い場所でも容易に使用することができる。浄水器を収容するケーシングの外面は滑らかな連続曲面で形成されているため、シャワーやシャンプーの泡等が降りかかっても汚れが付きにくく、誤って落下したり、身体が触れたりしても、浄水器が破損したり、苦痛を受けたりすることがない。また、浄水器がケーシング内に収容されているため、長時間の湯の通過により高温になった浄水器に使用者が直接触れることがなく、安全性にも優れている。
【００１０】
ここで、前記浄水器が、粒状濾材が流動可能に充填された筒状の濾材容器と、前記濾材容器内に水を導入するため前記濾材容器の軸心方向の片方の端部に設けられた入水口と、前記濾材容器内に導入された水を排出するため前記濾材容器の軸心方向の他方の端部に設けられた出水口と、前記入水口から導入した水を前記濾材容器内において前記出水口に向かって螺旋流を描きながら流動させるため前記濾材容器の内周面に設けられた螺旋状の導水部と、を備えることが望ましい。
【００１１】
このような構成とすれば、入水口から導入された水道水は粒状濾材とともに濾材容器の内周面の導水部に沿って螺旋流を描きながら流動し、このとき、水と粒状濾材とは激しく撹拌されながら接触し続けるため、水道水に含まれる塩素や不純物等を効率良く吸着、除去することができる。また、粒状濾材は水とともに螺旋流を描きながら流動するので、粒状濾材の表面は満遍なく水と接触し、「みずみち（恒常的に水が通過する部分）」が形成されることもない。このため、比較的長期間に亘って優れた浄水機能を維持することができる。
【００１２】
また、前記濾材容器の軸心方向の中心において当該軸心と直交する面を対称面として前記入水口と前記出水口とが鏡面対称をなすように配置することが望ましい。このような構成とすれば、対称面を挟んで入水口と出水口とが左右対称な構造となるため、前記入水口及び前記出水口の機能を逆にして、出水口から水を導入し、入水口から水を吐出する使い方をすることも可能となり、設置場所に応じて入水口及び出水口を任意に配置することができる。また、平常の使い方とは逆に、出水口から水を送り込んで入水口から吐出させれば、濾材容器内に逆流を発生させることができるため、濾材容器内の粒状濾材を洗浄（逆洗浄）することもできる。
【００１３】
一方、前記入水口から導入された水を前記濾材容器の外周方向へ放射状に誘導する拡散手段を設け、前記入水口と前記拡散手段との間に前記拡散手段に向かって拡大した形状の拡散室を設けることが望ましい。
【００１４】
このような構成とすれば、入水口から導入された水は、拡散手段に向かって拡大した形状の拡散室内で拡散しながら拡散手段に全面的に衝突して、濾材容器内へ流入するため、水は粒状濾材全体に向かって満遍なく分散される。従って、濾過効率が向上し、浄化処理水量の増大を図ることができる。
【００１５】
また、前記拡散手段として、前記入水口から導入された水が当接する受水面と、前記受水面の周りに均等間隔に配置された複数の通水孔と、前記受水面から隣り合う前記通水孔の間を経由して前記濾材容器内周面に向かって放射状に形成された突条部と、を有する拡散部材を設けることができる。
【００１６】
このような構成とすれば、入水口から導入され水は受水面に当接した後、放射状に形成された突条部に沿って放射方向に拡散し、受水面の周りに配置された複数の通水孔を通過して粒状濾材に向かって進行するため、比較的簡素な構造でありながら、濾過効率を確実に向上させることができる。また、放射状に形成された突条部を有することにより拡散部材自体の剛性、強度を高めることができるので、入水口からの流入水圧が増大しても変形し難く、流入水量の増加に対応することができる。
【００１７】
さらに、前記ケーシングの少なくとも一部に殺菌機能を有するコーティングを施すこともできる。このような構成とすれば、ケーシングの外面や内面等にカビが発生したり、雑菌が繁殖したりするのを防止することができるため、長期間に亘って清潔に保つことができる。
【発明の効果】
【００１８】
本発明により、比較的狭い場所でも容易に使用することができ、汚れが付きにくく、誤って落下したり、身体が触れたりしても、破損したり、苦痛を受けたりすることがなく、安全性に優れた浄水装置を提供することができる。
【発明を実施するための最良の形態】
【００１９】
以下、図面に基づいて、本発明の実施の形態について説明する。図１は本発明の実施の形態である浄水装置を示す正面図、図２は図１に示す浄水装置の側面図、図３は図２におけるＡ−Ａ線断面図、図４は図１に示す浄水装置を構成する浄水ユニットの正面図、図５は図４に示す浄水ユニットの底面図である。また、図６は図１に示す浄水装置を構成する保持部材の正面図、図７は図６に示す保持部材の分解底面図、図８は図６におけるＢ−Ｂ線断面図である。
【００２０】
図１〜図３に示すように、本実施形態の浄水装置１０は、入水口１３ｖ及び出水口１３ｗを有する浄水器１３と、入水口１３ｖ及び出水口１３ｗを垂直下方に向かって露出させた状態で浄水器１３を着脱可能に収容するケーシング１１と、ケーシング１１を壁面Ｗに着脱可能に取り付けるため壁面Ｗに固定された保持部材１２と、を備えている。ケーシング１１の外観は略ラグビーボール形状をなし、その外面全体は滑らかな連続曲面で形成されている。また、ケーシング１１の外面には殺菌機能を有する銀イオンを含むコーティングが施されている。
【００２１】
図４，図５に示すように、浄水器１３とこれを収容したケーシング１１とによって浄水ユニット１０ａが形成され、この浄水ユニット１０ａの状態で、壁面Ｗに固定された保持部材１２に着脱可能である。図６〜図８に示すように、保持部材１２は、壁面Ｗに貼着された長方形で平板状の固定基板１２ａと、固定基板１２ａの左右の側縁部に着脱可能に取り付けられる一対の保持プレート１２ｂと、を備えている。保持プレート１２ｂの基端側の角隅部分に突設された二つの突片部１２ｃに挿入したネジＮ１をそれぞれ固定基板１２ａの四隅部分に設けられた雌ネジ部１２ｄに螺着することにより、二つの保持プレート１２ｂは固定基板１２ａの左右側縁部に互いに平行で対向した状態に固定される。
【００２２】
二つの保持プレート１２ｂには、ケーシング１１の最大外径より小さな内径の保持孔１２ｅが開設されているため、ケーシング１１の左右部分を保持孔１２ｅにそれぞれ嵌入することによって浄水ユニット１０ａが保持部材１２に取り付けられている。保持部材１２を用いて浄水ユニット１０ａを壁面Ｗに固定する場合は、固定基板１２ａから取り外した二つの保持プレート１２ｂをそれぞれ浄水ユニット１０ａのケーシング１１の左右部分に取り付けた後、浄水ユニット１０ａとともに固定基板１２ｃに近づけ、保持プレート１２ｂの突片部１２ｃを固定基板１２ａの雌ネジ部１２ｄに当接させた後、突片部１２ｃに挿入したネジＮ１をそれぞれ固定基板１２ａの四隅部分に設けられた雌ネジ部１２ｄに螺着する。
【００２３】
次に、図９〜図１４に基づいて、浄水ユニット１０ａ（図４参照）の構造、機能等について説明する。図９は図４に示す浄水ユニットを構成する上部ケーシングの内面側を示す図、図１０は図４に示す浄水ユニットを構成する下部ケーシングの内面側を示す図、図１１は図１に示す浄水装置を構成する浄水器の斜視図、図１２は図１１に示す浄水器を構成する濾材容器と導水キャップとの接続機構を示す一部省略模式図、図１３は導水キャップの外面側を示す図、図１４は導水キャップの内面側を示す図である。
【００２４】
図４，図５に示す浄水ユニット１０ａを構成するケーシング１１は、図９に示す上部ケーシング１１ａと、図１０に示す下部ケーシング１１ｂと、で形成されている。上部ケーシング１１ａ及び下部ケーシング１１ｂはいずれもラグビーボールをその軸心を含む平面で切断したような舟形状をなしている。図９に示すように、上部ケーシング１１ａの内側は浄水器１３の上半分を収容可能な空洞を備えている。図１０に示すように、下部ケーシング１１ｂの内側の左右部分には、浄水器１３の入水口１３ｖ、出水口１３ｗをそれぞれ突出させるための貫通孔１１ｃが開設され、貫通孔１１ｃより中央寄りの部分には、浄水器１３の左右部分を保持するための複数のリブ１１ｅが形成され、リブ１１ｅより中央寄りの部分には浄水器１３を固定するための略円柱状の突起部１１ｄが設けられている。
【００２５】
浄水器１３の入水口１３ｖ、出水口１３ｗがそれぞれ貫通孔１１ｃから突出した状態となるような姿勢で浄水器１３を下部ケーシング１１ｂ内のリブ１１ｅ上に載置し、下部ケーシング１１ｂ及び浄水器１３を覆うように上部ケーシング１１ａを被せ、下部ケーシング１１ｂ及び上部ケーシング１１ａの周縁部１１ｇ同士を接合すれば図４に示す浄水ユニット１０ａが形成される。このとき、図３に示すように、下部ケーシング１１ｂ及び上部ケーシング１１ａの周縁部１１ｇ同士は凹凸嵌合構造を形成するため、下部ケーシング１１ｂと上部ケーシング１１ａとを確実に接合することができる。
【００２６】
次に、図１１〜図１８に基づいて、図１に示す浄水装置１０を構成する浄水ユニット１０ａ内に収容された浄水器１３（図３参照）の構造、機能等について説明する。図１５は図１１のＣ−Ｃ線における一部省略断面図、図１６は濾材容器の開口端部を示す図、図１７は図１６のＤ−Ｄ線における一部省略断面図、図１８は図１６のＥ−Ｅ線における一部省略断面図である。
【００２７】
図１１，図１２，図１５に示すように、浄水器１３は、濾材１６を内蔵する円筒形状の濾材容器１３ａと、濾材容器１３ａ両端の開口部１３ｎにそれぞれ着脱可能に取り付けられた導水キャップ１３ｂと、を備えている。左右の導水キャップ１３ｂは同形状であり、半球状の本体部１３ｃに、軸心１３ｘと直交する方向に入水口１３ｖ（出水口１３ｗ）を突設した構造である。濾材容器１３ａの外周には、その軸心１３ｘ方向の長さより短い補強リブ１３ｒが軸心１３ｘと平行に形成され、補強リブ１３ｒの両端から少し離れた位置に係合突起１３ｓが設けられている。また、導水キャップ１３ｂの開口部１３ｍの内周面にはＬ字状に折曲した係合溝１３ｄが設けられている。
【００２８】
導水キャップ１３ｂの開口部１３ｍの内径は、濾材容器１３ａの開口部１３ｎの外径より僅かに大きく形成されているため、濾材容器１３ａの開口部１３ｎを導水キャップ１３ｂの開口部１３ｍに嵌入させることができる。そして、濾材容器１３ａ外周の係合突起１３ｓを、導水キャップ１３ｂの開口部１３ｍの内周の係合溝１３ｄに差し込み、濾材容器１３ａ又は導水キャップ１３ｂを時計回りに回転させれば、係合突起１３ｓが係合溝１３ｄの奥部に嵌入され、導水キャップ１３ｂが濾材容器１３ａに離脱不能に装着される。このとき、導水キャップ１３ｂと濾材容器１３ａとの間には接着剤が介在されるため、両者は強固に固着される。
【００２９】
図１３，図１４に示すように、導水キャップ１３ｂの入水口１３ｖは半球状の本体部１３ｃ内に連通し、本体部１３ｃの内面には、複数の導水リブ１３ｅが放射状に形成されている。なお、図１及び図１１等においては「入水口１３ｖ」と「出水口１３ｗ」とはそれぞれ異なる名称、符号を付しているが、濾材容器１３ａ両端の開口部１３ｎに装着された導水キャップ１３ｂは同じ形状であるため、入水口１３ｖ及び出水口１３ｗの形状、機能も同じである。このため、図１及び図１１等の示す場合とは逆に、１３ｗを入水口とし、１３ｖを出水口として使用することもできる。
【００３０】
図１５に示すように、浄水器１３は、粒状濾材１６が流動可能に充填された円筒状の濾材容器１３ａと、濾材容器１３ａ内に水を導入するため濾材容器１３ａの軸心１３ｘ方向の片方の端部に設けられた入水口１３ｖと、濾材容器１３ａ内に導入された水を排出するため濾材容器１３ａの軸心１３ｘ方向の他方の端部に設けられた出水口１３ｗと、入水口１３ｖから導入した水を、濾材容器１３ａ内において、出水口１３ｗに向かって螺旋流を描きながら流動させるため濾材容器１３ａの内周面１３ｆに設けられた螺旋状の導水部１５と、を備えている。本実施形態では、濾材容器１３ａの容積の８５〜９５％程度の体積の粒状濾材１６を充填し、濾材容器１３ａ内に流動用スペースＳを設けることにより濾材容器１３ａ内での粒状濾材１６の流動性を確保している。
【００３１】
また、入水口１３ｖから導入された水を濾材容器１３の外周方向へ放射状に誘導する拡散手段として略円板状の拡散部材１４が開口部１３ｍ側に配置され、入水口１３ｖと拡散部材１４との間に、拡散部材に向かって拡大した形状の拡散室１７が設けられている。本実施形態では、半球形状をした導水キャップ１３ｂの内側が拡散室１７となっている。
【００３２】
図１６〜図１８に示すように、拡散部材１４は、入水口１３ｖから導入された水を当接させるため軸心１４ｃの周りに形成された受水面１４ｈと、受水面１４ｈの周りに均等間隔に配置された複数の卵形の通水孔１４ａと、受水面１４ｈから隣り合う通水孔１４ａの間を経由して濾材容器１３ａの内周面１３ｆに向かって放射状に形成された突条部１４ｄと、を有する。複数の通水孔１４ａにはそれぞれ網状体１４ｍが取り付けられている。
【００３３】
突条部１４ｄの稜線１４ｅは直線状をなしており、それぞれの突条部１４ｄの先端には濾材容器１３ａの内周面１３ｆに向かって下り勾配をなす傾斜面１４ｆが設けられ、これらの傾斜面１４ｆは濾材容器１３ａの内周面１３ｆより離れた位置に配置されている。また、受水面１４ｈと通水孔１４ａとの間の領域には、通水孔１４ａに向かって下り勾配をなす滑らかな傾斜曲面１４ｇが形成されている。図１７，図１８に示すように、受水面１４ｈ、突条部１４ｄ、傾斜面１４ｆ及び傾斜曲面１４ｇは拡散部材１４の両面に形成されている。
【００３４】
図１５に示すように、導水部１５は、濾材容器１３ａの内周面１３ｆから軸心１３ｘに向かって突出した螺旋棚形状に形成され、入水口１３ｖ側の拡散部材１４から出水口１３ｗ側の拡散部材１４までの間で濾材容器１３ａの内周面１３ｆを一回転するように配置されている。また、濾材容器１３ａの軸心１３ｘが水平をなすように保持したとき、入水口１３ｖ側の拡散部材１４の最下部に導水部１５の一方の端部１５ａが位置し、出水口１３ｗ側の拡散部材１４の最下部に導水部１５の他方の端部１５ｂが位置するように配置されている。
【００３５】
図１，図２で示したように、浄水装置１０を浴室等の壁面Ｗに取り付け、入水口１３ｖから水道水を供給すると、水道水は導水キャップ１３ｂ内の拡散室１７へ流れ込み、本体部１３ｃの内周面及び複数の導水リブ１３ｅ（図１４参照）により方向変換されたり、拡散されたりしながら拡散部材１４の受水面１４ｈに当接し、その外周方向に向かって放射状に拡散した後、複数の通水孔１４ａを通過して濾材容器１３ａ内に流れ込む。濾材容器１３ａ内に流れ込んだ水道水は粒状濾材１６とともに導水部１５に沿って螺旋流を描きながら出水口１３ｗ側の拡散部材１４に向かって流動していく。このような流動過程中において、水道水と粒状濾材１６とは激しく撹拌されながら接触し続けるため、水道水中に含まれる塩素や不純物等は粒状濾材１６に吸着、除去される。
【００３６】
濾材容器１３ａ内を粒状濾材１６とともに螺旋流を描きながら流動した水道水は、出水口１３ｗ側の拡散部材１４の複数の通水孔１４ａを通過した後、導水キャップ１３ｂの本体部１３ｃの内周面及び導水リブ１３ｅ（図１４参照）によって収束され、出水口１３ｗから浄化水として吐出される。なお、図１５に示すように、浄水器１３を構成する濾材容器１３ａの左右にそれぞれ設けられた入水口１３ｖ及び出水口１３ｗ、拡散室１７、拡散部材１４は、濾材容器１３ａの軸心１３ｘ方向の中心と直交する中心面１３ｙを挟んで鏡面対称をなすように配置されているため、１３ｗを入水口、１３ｖを出水口として使用することもできる。従って、設置場所に応じて入水口、出水口を配置することができるだけでなく、平常使用状態とは逆に、出水口１３ｗから水を送り込んで入水口１３ｖから水を吐出させることにより、濾材容器１３ａ内の粒状濾材１６を洗浄（逆洗浄）することもできる。
【００３７】
前述したように、濾材容器１３ａ内の粒状濾材１６は水道水とともに螺旋流を描きながら流動することにより、全ての粒状濾材１６は満遍なく水道水と接触するため、いわゆる「みずみち」が形成されることがなく、長期間に亘って優れた浄水機能を維持することができる。
【００３８】
粒状濾材１６の材質、性状等は限定しないが、本実施形態において、日本エンバイロケミカル社製の活性炭（商品名）ＷＨ２Ｃ３２／６０ＬＬＳＳ及びＷＨＡ２８／４８をそれぞれ７５質量％及び２０質量％ずつと、本出願人であるサンエス工業株式会社製のアルミナ・シリカ系のセラミックス５質量％と、を混合したものを使用したところ、水道水中の塩素や不純物等を効率良く除去することができた。また、前記セラミックスは、水道水中の水分子のクラスターを細かく分解する作用も有しているため、浄水装置１０を通過させることによって得られた浄化水は、肌に優しく、柔らかく、臭いもない。このため、敏感肌の人、アトピー体質やアレルギー体質の人にピリピリ感を与えることがない。また、毛髪の洗浄に使用しても洗髪後のきしみがない、風呂の湯が汚れにくくなる等の効果も得られる。
【００３９】
浄水装置１０は壁Ｗに固定した状態で使用することができるため、比較的狭い場所でも容易に使用することができる。浄水器１３を収容するケーシング１１の外面は滑らかな連続曲面で形成されているため、シャワーやシャンプーの泡等が降りかかっても汚れが付きにくい。浄水器１３はケーシング１１で覆われているため、誤って、浄水ユニット１０ａが落下したり、浄水ユニット１０ａに身体が触れたりしても、浄水器１３が破損したり、苦痛を受けたりすることがない。また、浄水器１３がケーシング１１内に収容されているため、長時間の湯の通過により高温になった浄水器１３に使用者が直接触れるおそれがなく、安全性にも優れている。
【００４０】
また、入水口１３ｖから導入された水道水を濾材容器１３ａの外周方向へ放射状に誘導するため拡散部材１４を設けるとともに、入水口１３ｖと拡散部材１４との間に拡散部材１４に向かって拡大した形状の拡散室１７を設けている。従って、入水口１３ｖから導入された水道水は、拡散部材１４に向かって拡大した形状の拡散室１７内で拡散しながら拡散部材１４に全面的に衝突して、濾材容器１３ａ内へ流入するため、水道水は粒状濾材１６全体に向かって満遍なく分散される。このため、濾過効率が高く、従来の浄化装置より浄化処理水量の増大を図ることができる。
【００４１】
また、拡散部材１４は、入水口１３ｖから導入された水道水が当接する受水面１３ｈと、受水面１３ｈの周りに均等間隔に配置された複数の通水孔１４ａと、受水面１４ｈから隣り合う通水孔１４ａの間を経由して濾材容器１３ａの内周面１３ｆに向かって放射状に形成された複数の突条部１４ｄと、を備えている。
【００４２】
従って、入水口１３ｖから拡散室１７内へ流入した水道水は受水面１４ｈに当接した後、複数の突条部１４ｄに沿って放射方向に拡散し、受水面１４ｈの周りに配置された複数の通水孔１４ａを通過して粒状濾材１６に向かって進行する。このため、比較的簡素な構造でありながら、濾過効率を確実に向上させることができる。また、放射状に形成された複数の突条部１４ｄを有することにより拡散部材１４自体の剛性、強度が高まるので、入水口１３ｖからの流入水圧が増大しても変形し難く、流入水量の増加に対応することができる。
【００４３】
さらに、ケーシング１１の外面及び内面（大気と接触している面）には殺菌機能を有する銀イオンを含むコーティングが施されているため、ケーシング１１にカビが発生したり、雑菌が繁殖したりするのを防止することができ、長期間に亘って清潔に保つことができる。
【産業上の利用可能性】
【００４４】
本発明の浄水装置は、一般家庭の浴室や台所あるいは理容院、美容院、ペットショップなどの給湯水設備の構成部材として広く利用することができる。
【図面の簡単な説明】
【００４５】
【図１】本発明の実施の形態である浄水装置を示す正面図である。
【図２】図１に示す浄水装置の側面図である。
【図３】図２におけるＡ−Ａ線断面図である。
【図４】図１に示す浄水装置を構成する浄水ユニットの正面図である。
【図５】図４に示す浄水ユニットの底面図である。
【図６】図１に示す浄水装置を構成する保持部材の正面図である。
【図７】図６に示す保持部材の分解底面図である。
【図８】図６のＢ−Ｂ線における断面図である。
【図９】図４に示す浄水ユニットを構成する上部ケーシングの内面側を示す図である。
【図１０】図４に示す浄水ユニットを構成する下部ケーシングの内面側を示す図である。
【図１１】図１に示す浄水装置を構成する浄水器の斜視図である。
【図１２】図１１に示す浄水器を構成する濾材容器と導水キャップとの接続機構を示す一部省略模式図である。
【図１３】導水キャップの外面側を示す図である。
【図１４】導水キャップの内面側を示す図である。
【図１５】図１１のＣ−Ｃ線における一部省略断面図である。
【図１６】濾材容器の開口端部を示す図である。
【図１７】図１６のＤ−Ｄ線における一部省略断面図である。
【図１８】図１６のＥ−Ｅ線における一部省略断面図である。
【符号の説明】
【００４６】
１０  浄水装置
１０ａ  浄水ユニット
１１  ケーシング
１１ａ  上部ケーシング
１１ｂ  下部ケーシング
１１ｃ  貫通孔
１１ｄ  突起部
１１ｅ  リブ
１１ｇ  周縁部
１２  保持部材
１２ａ  固定基板
１２ｂ  保持プレート
１２ｃ  突片部
１２ｄ  雌ネジ部
１２ｅ  保持孔
１３  浄水器
１３ａ  濾材容器
１３ｂ  導水キャップ
１３ｃ  本体部
１３ｄ  係合溝
１３ｆ  内周面
１３ｅ  導水リブ
１３ｍ，１３ｎ  開口部
１３ｒ  補強リブ
１３ｓ  係合突起
１３ｖ  入水口
１３ｗ  出水口
１３ｘ  軸心
１３ｙ  中心面
１４  拡散部材
１４ａ  通水孔
１４ｃ  軸心
１４ｄ  突条部
１４ｅ  稜線
１４ｆ  傾斜面
１４ｇ  傾斜曲面
１４ｈ  受水面
１４ｍ  網状体
１５  導水部
１５ａ，１５ｂ  端部
１６  粒状濾材
１７  拡散室
Ｎ１  ネジ
Ｓ  流動用スペース
Ｗ  壁面
【図１】
2008264613.tif 000003
【図２】
2008264613.tif 000004
【図３】
2008264613.tif 000005
【図４】
2008264613.tif 000006
【図５】
2008264613.tif 000007
【図６】
2008264613.tif 000008
【図７】
2008264613.tif 000009
【図８】
2008264613.tif 000010
【図９】
2008264613.tif 000011
【図１０】
2008264613.tif 000012
【図１１】
2008264613.tif 000013
【図１２】
2008264613.tif 000014
【図１３】
2008264613.tif 000015
【図１４】
2008264613.tif 000016
【図１５】
2008264613.tif 000017
【図１６】
2008264613.tif 000018
【図１７】
2008264613.tif 000019
【図１８】
2008264613.tif 000020